【事件の表示】
　特許第３３１４２７１号「射出成形同時加飾用シート、加飾成形品、及び射出成形同時加飾方法」の請求項１ないし５に係る特許に対する特許異議の申立てについて、次のとおり決定する。
【結　論】
　特許第３３１４２７１号の請求項１ないし５に係る特許を維持する。
【理　由】
１．手続の経緯
　本件特許第３３１４２７１号の請求項１〜５に係る発明の出願は、２０００年２月１０日に特許出願され、２００２年６月７日にその特許権の設定登録がされ、その後特許異議申立人 凸版印刷株式会社（以下、「申立人」という。）から、特許異議の申立てがされたものである。
　
２．特許異議の申立てについて
（１）本件発明
　本件特許第３３１４２７１号の請求項１〜５に係る発明（以下、それぞれ「本件発明１」〜「本件発明５」という。）は、特許査定時の明細書の特許請求の範囲の請求項１〜５に記載されるとおりの以下のものである。
「【請求項１】　射出成形同時加飾に使用する加飾用シートにおいて、
　射出成形樹脂と接触させる面側が、アクリル変性ポリオレフィン系樹脂を含む層からなる様に、アクリル系樹脂の基材シートに、バインダーの樹脂にアクリル系樹脂、塩化ビニル−酢酸ビニル共重合体系樹脂のうちのいずれか１種以上を含む装飾層、アクリル変性ポリオレフィン系樹脂を含む接着層が、順次積層されている、射出成形同時加飾用シート。
【請求項２】　アクリル変性ポリオレフィン系樹脂が、少なくとも、アクリル系のモノマー又は／及びプレポリマーを、ポリプロピレンの主鎖にグラフト重合させた樹脂である、請求項１記載の射出成形同時加飾用シート。
【請求項３】　更に、装飾層と接着層間に、アクリル系樹脂、塩化ビニル−酢酸ビニル共重合体系樹脂のうちのいずれか１種以上を含むプライマー層が積層されている、請求項１又は２記載の射出成形同時加飾用シート。
【請求項４】　請求項１〜３のいずれか１項に記載の射出成形同時加飾用シートが、そのアクリル変性ポリオレフィン系樹脂を含む層によって、ポリオレフィン系樹脂を用いた成形物に接着一体化している、加飾成形品。
【請求項５】　請求項１〜３のいずかれ１項に記載の射出成形同時加飾用シートを、型開き状態の雌雄一対の型の間に、該シートのアクリル変性ポリオレフィン系樹脂を含む層が射出成形樹脂と接するようにして挿入した後、両型を型締めし、両型で形成されるキャビティ内に流動状態の樹脂を射出し充填して固化させて、成形と同時に樹脂成形物表面に射出成形同時加飾用シートを密着、積層させた後、両型を型開きし、射出成形同時加飾用シートが樹脂成形物に積層した加飾成形品を得る、射出成形同時加飾方法。」
　
（２）特許異議の申立ての理由の概要
　申立人は、以下の甲第１〜４号証を提出して、
本件発明１、２は、甲第１〜３号証に記載された発明に基いて、及び、本件発明３〜５は、甲第１〜４号証に記載された発明に基いて、それぞれ当業者が容易に発明をすることができたものであって、特許法第２９条第２項の規定により、特許を受けることができないものであるから、
本件特許の請求項１〜５に係る特許は、特許法第１１３条第２号の規定に該当し、取り消されるべきものである旨を主張している。
　甲第１号証：特開２０００−３３６６５号公報
　甲第２号証：特開平４−１３５７１６号公報
　甲第３号証：特開平８−９２４２７号公報
　甲第４号証：実願昭６１−７９４２５号（実開昭６２−１９１４２７号）のマイクロフィルム
　
３．甲号各証の記載
　甲第１号証には、以下の記載がある。
ア：　「【請求項１】　熱可塑性樹脂からなる基材シート上に、少なくとも接着剤層を有して成り、該接着剤層の樹脂成分である塩素化ポリオレフィン樹脂の塩素含有率が２０〜２４重量％であり、且つ該樹脂の数平均分子量が５００００〜６００００である、絵付シート。
【請求項２】　アクリル樹脂を主体とする透明な基材シート上に、バインダーの樹脂がアクリル樹脂と塩化ビニル−酢酸ビニル共重合体との混合物を主成分とする装飾層と、ウレタン樹脂を主成分とするプライマー層と、塩素化ポリオレフィン樹脂を主成分とする接着剤層がこの順に形成されてなる、請求項１記載の絵付シート。
【請求項３】　請求項１又は２記載の絵付シートを、型開き状態にある一対の型の間に、その接着剤層が射出樹脂側を向く様に供給した後、両型を型締めし、両型で形成されるキャビティに流動状態の樹脂を射出して、成形と同時に樹脂成形物の表面に絵付シートを積層した成形品を得る、射出成形同時絵付方法。
【請求項４】　請求項１又は２記載の絵付シートが、その接着剤層により、ポリオレフィン樹脂からなる樹脂成形物の表面に積層してなる成形品。」（特許請求の範囲）
イ：　「ポリプロピレン樹脂等の安価なポリオレフィン樹脂を射出成形樹脂として使用して射出成形同時絵付方法で表面加飾する場合、絵付シートと樹脂成形物との接着剤には、塩素化ポリプロピレンに変成アクリル樹脂を添加した物を使用する事が多かった。しかし、該接着剤では、絵付シートの予備成形時の熱、樹脂射出時の熱、成形品として得られた後の使用環境下での熱、等によって、接着剤が熱劣化し、満足すべき密着性（耐熱密着性）が得られなかった。」（段落０００３）
ウ：　「（接着剤層）本発明の絵付シートでは、接着剤層の樹脂成分として塩素化ポリオレフィン樹脂を用い、なお且つ該樹脂の塩素含有率は２０〜２４重量％の範囲で、且つ該樹脂の数平均分子量が５００００〜６００００の範囲が好ましい。接着剤層に塩素化ポリオレフィン樹脂を使用しただけでは、ポリオレフィン樹脂に対する一応の密着性は得られるが、密着性の耐熱性は得られない。…しかし、更に該樹脂の塩素含有率及び数平均分子量の両者を、上記特定の範囲とする事によって、耐熱性を備えた優れた密着性が得られる。塩素含有率が２０重量％未満だと、密着性が不十分となり、２４重量％を超えると、射出成形同時絵付方法で被着体に積層する場合に、積層後の成形品の耐熱テスト時の熱で、成形品表面（絵付シート表面）に凹凸を生じ平滑性が低下する。一方、数平均分子量が５００００未満だと、密着は良好だが耐熱テスト時の熱で収縮して、絵付シート表面に皺を生じる。また数平均分子量が６００００を超えると、密着性が不十分となる。」（段落００１５）
エ：　「塩素化ポリオレフィン樹脂としては、具体的には、塩素化ポリプロピレン、塩素化ポリエチレン等が使用できる。なかでも、塩素化ポリプロピレンは塩素化ポリエチレンに比較してより優れた塗工適性、耐熱密着性を示す点で好ましい。…
接着剤層の形成方法は特に限定は無いが、通常は、上記樹脂を希釈溶剤で希釈した樹脂液からなるインキ又は塗液として、グラビア印刷、ロールコート等の公知の印刷又は塗工手段により形成する。なお、接着剤層は、塩素化ポリオレフィン樹脂のみで構成しても良いが、インキ（又は塗液）の印刷（又は塗工）適性等の諸物性を調整、向上させる為に、必要に応じて、体質顔料等の各種添加剤を添加しても良い。」（段落００１６）
　
　甲第２号証には、以下の記載がある。
オ：　「変性非晶質プロピレン共重合体を主成分とする接着剤層を設けた塩化ビニル系樹脂またはＡＢＳ系樹脂製の被覆用の予備成形体を、溶融状態で供給されるポリプロピレンと前記接着剤との接触の可能なように、射出成形用金型の固定金型内の内面に沿って配置し、この固定金型に対応する移動金型を固定金型に密着して金型を閉じ、その金型の内部へ溶融状態のポリプロピレンを射出して、射出成形すると同時に、前記予備成形体から形成される被覆層をその射出成形体の表面に、前記接着剤層を介して積層することを特徴とする被覆層付成形体の製造法。」（特許請求の範囲）
カ：　「〔従来技術及び課題〕
　ポリプロピレン製の成形体は…表面に印刷したり、塗装したりすることが非常に困難であり、成形体の表面に種々の図形、模様を現出することができず、…そこで、ポリプロピレン製の成形体の表面に、印刷性、塗装性、意匠性などに優れた塩化ビニル系樹脂またはＡＢＳ系樹脂製の被覆層を積層することが提案された。
　しかしながら、ポリプロピレンと塩化ビニル系樹脂またはＡＢＳ系樹脂とは…両者を強力に接着することができる接着剤も見出されていなかった」（第１ページ右下欄第４〜１９行）
キ：　「本発明者らは、ポリプロピレン製の成形体の表面に、塩化ビニル系樹脂またはＡＢＳ系樹脂製の被覆層が強力に接合されている被覆層付成形体を得ることを目的として、鋭意研究した結果、この発明において使用する特殊な接着剤によって前述の目的を達成することができることを見出し、この発明を完成した。」（第２ページ左上欄第１０〜１６行）
ク：　「接着剤層の主成分として使用する本発明における変性非晶質プロピレン共重合体とは、…プロピレンと他のα−オレフィン…との非晶質共重合体であり…、共重合体の変性剤は不飽和カルボン酸、その無水物、金属塩、エステル等からなる不飽和カルボン酸誘導体成分がグラフトしたものである。具体的には、アクリル酸、メタクリル酸…アクリル酸メチル、メタクリル酸メチル…が挙げられる。」（第２ページ左下欄第１２行〜右下欄第１６行）
ケ：　「予備成形体の成形に使用される塩化ビニル系樹脂またはＡＢＳ系樹脂製のシート（フィルム）は、…そのシートの表面に、木目などの模様を印刷などして、化粧を施したものであってもよい。」（第３ページ右下欄第８〜１３行）
コ：　「実施例１…カレンダーロール法で成形されたＡＢＳ系樹脂シート…の表面に、木目印刷を施し、そのシートの裏面に、…変性された非晶質共重合体の…接着剤層を設けた。
　この接着剤層を設けたＡＢＳ系樹脂製のシートを…金型内…配置し…ポリプロピレンを射出して…被覆層付成形体を取り出した。」（第４ページ左下欄第１１行〜右下欄第１３行）
サ：　「〔発明の効果〕本発明は印刷性等の良好な塩化ビニル系、ＡＢＳ系樹脂を表面層とし、接着層に変性非晶質プロピレン共重合体を使用することで従来技術より低温で、かつ、強力な接着力を有する積層体が得られる。」（第５ページ右上欄第１３〜１８行）
　
　甲第３号証には、以下の記載がある。
シ：　「【請求項１】　ポリオレフィン又は変性ポリオレフィンを含む水性樹脂組成物を調製するにあたり、ポリオレフィン系樹脂固形分１００重量部に対し、ポリヒドラジド化合物を０．１〜３０重量部配合することを特徴とする水性ポリオレフィン樹脂組成物。
【請求項５】　ポリオレフィン系樹脂を（メタ）アクリル系モノマー又は（メタ）アクリル系オリゴマーとのラジカル重合によって変性されていることを特徴とし、平均分子量１０００〜５０００００、変性度５〜８００重量％のアクリル変性ポリオレフィンを変性ポリオレフィンとして用いる請求項１又は２記載の水性樹脂組成物。」（特許請求の範囲の請求項１、５）
ス：　「【産業上の利用分野】
　本発明は水性樹脂組成物に関するものであるが、主に塗料、プライマー、インキ、接着剤、シーリング剤、バインダー及び表面処理剤として用いることができる。…特に非極性表面を持つポリオレフィン基材等に対する付着性、可撓性、耐水性、耐ガソリン性、耐ガスオール性に優れ、性能バランスのとれた被膜、接着層を形成することができる。このことから自動車等のプラスチック部品材料、ポリオレフィンフィルム、ポリオレフィン系成形物等に対する塗料、プライマー、インキ、シーリング剤、接着剤用の水性樹脂として有用である。」（段落０００１〜０００２）
セ：　「変性ポリオレフィンとは塩素化ポリオレフィン、酸変性ポリオレフィン、アクリル変性ポリオレフィン、ウレタン変性ポリオレフィンまたは塩素化変性、酸変性、アクリル変性、ウレタン変性のうちの２種以上の変性を行った変性ポリオレフィンが例示される。」（段落００２４）
　
　甲第４号証には、以下の記載がある。
ソ：　「（１）　透明または半透明のプラスチックフィルム１Ａ上に金属薄層２、プライマー層３および射出成形用樹脂に対して熱接着可能な合成樹脂の層４を順次積層してなることを特徴とする絵付けシート。
（３）　プライマー層３を形成する材料として、ポリウレタン、ポリエステル、ポリアミド、アクリル樹脂および塩ビ−酢ビ共重合体からえらんだものを用いた実用新案登録請求の範囲第１項に記載の絵付けシート。」（実用新案登録請求の範囲第１、３項）
　
４．当審の判断
４−１．本件発明１について
（４−１−１）甲第１号証に記載された発明との対比
　甲第１号証には、摘示アから、アクリル樹脂を主体とする透明な基材シート上に、バインダーの樹脂がアクリル樹脂と塩化ビニル−酢酸ビニル共重合体との混合物を主成分とする装飾層と、ウレタン樹脂を主成分とするプライマー層と、塩素化ポリオレフィン樹脂を主成分とする接着剤層がこの順に形成されてなる絵付シート（【請求項２】）であって、型開き状態の型の間に、その接着剤層が射出樹脂側を向く様に供給した後、型締め、樹脂の射出により、成形と同時に樹脂成形物の表面に絵付シートを積層した成形品を得る射出成形同時絵付方法（【請求項３】）に適用する絵付シートに関する発明が記載されている。
　本件発明１と甲第１号証に記載された発明（以下、「甲１発明」という。）を対比すると、
甲１発明における絵付シートは、摘示アの【請求項３】の適用成形方法からみて、本件発明１における射出成形同時加飾に使用する加飾用シート、すなわち、射出成形同時加飾用シートに相当するものと認められるから、
両者は、
「射出成形同時加飾に使用する加飾用シートにおいて、
アクリル系樹脂の基材シートに、バインダーの樹脂にアクリル系樹脂、塩化ビニル−酢酸ビニル共重合体系樹脂のうちのいずれか１種以上を含む装飾層、及び、接着層が、順次積層されている、射出成形同時加飾用シート。」で一致し、
本件発明１が、「アクリル変性ポリオレフィン系樹脂を含む」接着層を備えるのに対して、甲１発明が、「塩素化ポリオレフィン樹脂を主成分とする」接着層を備えるものである点、で少なくとも相違する。
　
（４−１−２）相違点についての検討
（４−１−２−１）甲第１発明の接着層の樹脂成分を「アクリル変性ポリオレフィン系樹脂を含む」ものとすることについて：
　まず、摘示エのとおり、甲第１号証には、「塩素化ポリオレフィン樹脂を主成分とする」接着層に、塩素化ポリオレフィン樹脂以外の成分を含むことが記載されているので、標記について検討する。
　摘示エは、具体的には「体質顔料等の各種添加剤」と記載されるだけであり、該接着剤として、具体的に、アクリル変性ポリオレフィン系樹脂を含むものを示唆していると認めることはできない。
　また、甲１発明は、摘示ア、ウのように、「塩素化ポリオレフィン樹脂を主成分とする」接着層について、塩素化ポリオレフィン樹脂の塩素含有率と数平均分子量のそれぞれの最適範囲を選定することによって、課題を解決しようとする発明であると認められるから、塩素化ポリオレフィン樹脂に代えて、接着層成分として、塩素化ポリオレフィン樹脂とは異なる樹脂成分であるアクリル変性ポリオレフィン系樹脂を使用しようとする動機付けは存在し得ない。
　なお、甲第１号証には、摘示イとして、ポリオレフィン樹脂との射出成形同時絵付方法に使用する加飾用シートの接着剤として、「塩素化ポリプロピレンに変成アクリル樹脂を添加した物」を使用することが先行技術として記載されているが、変成アクリル樹脂がアクリル変性ポリオレフィン系樹脂を示唆するものとは到底いうことができない。
（４−１−２−２）甲第２号証と組み合せて、接着層の樹脂成分を「アクリル変性ポリオレフィン系樹脂を含む」ものに置換することについて：
　甲第２号証には、摘示オ、クから、ポリプロピレン成形体と一体化させるための射出成形同時加飾用シートであって、アクリル変性非晶質プロピレン共重合体を主成分とする接着剤層と、塩化ビニル系樹脂又はＡＢＳ系樹脂の基体シートからなるものが記載されているから、アクリル変性ポリオレフィン系樹脂を含む接着層が、特に、ポリオレフィン系樹脂を用いた成形物に適用するための射出成形同時加飾用シートにおける接着層として採用し得ることが示唆されているものと認められる。
　しかしながら、甲１発明の射出成形同時加飾用シートは、アクリル系樹脂の基材シートと、バインダーの樹脂にアクリル系樹脂、塩化ビニル−酢酸ビニル共重合体系樹脂のうちのいずれか１種以上を含む装飾層とを有するものであって、特に、接着層は、装飾層と直接積層してなるものであるところ、
甲第２号証には、摘示カ、キ、サから、塩化ビニル系樹脂又はＡＢＳ系樹脂の基体シートと、ポリプロピレン製の成形体との強力な接合という課題を解決しようとする発明が記載されていると認められ、また、摘示カ、ケ、コ、サから、木目模様の印刷などによる装飾層が設けられる場合でも、塩化ビニル系樹脂又はＡＢＳ系樹脂の基体シートの表面に形成されるものであって、基体シートと装飾層と接着層とを順次積層することについては何らの示唆も認められないから、
甲１発明における、アクリル系樹脂の基材シートと装飾層と接着層を順次積層するために採用された、「塩素化ポリオレフィン樹脂を主成分とする」接着層を、甲第２号証に記載された「アクリル変性非晶質プロピレン共重合体を主成分とする」接着層に置換することを、当業者が容易に想到できたということはできない。
（４−１−２−３）甲第３号証と組み合せて、接着層の樹脂成分を「アクリル変性ポリオレフィン系樹脂を含む」ものに置換することについて：
　甲第３号証には、摘示シ、ス、セから、アクリル変性ポリオレフィンなど多種多様の変性ポリオレフィンの水性樹脂組成物が、塗料、接着剤など多くの用途に適用できるものであることが記載されているが、アクリル変性ポリオレフィンを、射出成形同時加飾用シートにおける接着剤層として使用することについて記載も示唆も見い出せないから、
甲１発明における「塩素化ポリオレフィン樹脂を主成分とする」接着層を、甲第３号証に記載された「アクリル変性ポリオレフィン」からなるものに置換することを、当業者が容易に想到できたということはできない。
　
（４−１−３）本件発明１についてのまとめ
　以上のとおりであるから、本件発明１が、甲第１〜３号証に記載された発明に基いて当業者が容易に発明をすることができたものであるということはできない。
　
４−２．本件発明２について
　本件発明２は、本件発明を特定するために必要な要件をすべて備えて、更に、アクリル変性ポリオレフィンを限定するものであるところ、４−１．で述べたとおり、本件発明１は、甲第１〜３号証に記載された発明に基いて当業者が容易に発明をすることができたものであるということはできないから、本件発明２が甲第１〜３号証に記載された発明に基いて当業者が容易に発明をすることができたものであるということはできない。
　
４−３．本件発明３について
　本件発明３は、本件発明を特定するために必要な要件をすべて備えて、更に、装飾層と接着層の間に特定の樹脂を含むプライマー層を積層されているものであるところ、４−１．で述べたとおり、本件発明１は、甲第１〜３号証に記載された発明に基いて当業者が容易に発明をすることができたものであるということはできず、更に、甲第４号証には、摘示ソのとおり、先の相違点について何らの示唆もないから、本件発明３が甲第１〜４号証に記載された発明に基いて当業者が容易に発明をすることができたものであるということはできない。
　
４−４．本件発明４について
　本件発明４は、本件発明１〜３に係る射出成形同時加飾用シートが、ポリオレフィン系樹脂を用いた成形物に接着一体化していることを、発明を特定するために必要な要件として更に備える加飾成形品に係る発明であるところ、４−１．〜４−３．において述べたとおり、本件発明１〜３は、甲第１〜４号証に記載された発明に基いて当業者が容易に発明をすることができたものであるということはできないから、本件発明１〜３に係る射出成形同時加飾用シートを使用することを発明を特定するために必要な要件として備える本件発明４が、甲第１〜４号証に記載された発明に基いて当業者が容易に発明をすることができたものであるとする余地はない。
　
４−５．本件発明５について
　本件発明５は、本件発明１〜３に係る射出成形同時加飾用シートを、型開き状態の雌雄一対の型の間に挿入した後、両型を型締めし、射出成形と同時に樹脂成形物表面に該射出成形同時加飾用シートを密着、積層させた後、型開きすることを、更に、発明を特定するために必要な要件として備える射出成形同時加飾方法に係る発明であるところ、４−１．〜４−３．において述べたとおり、本件発明１〜３は、甲第１〜４号証に記載された発明に基いて当業者が容易に発明をすることができたものであるということはできないから、本件発明１〜３に係る射出成形同時加飾用シートを使用することを発明を特定するために必要な要件として備える本件発明４が、甲第１〜４号証に記載された発明に基いて当業者が容易に発明をすることができたものであるとする余地はない。
　
５．むすび
　本件発明１〜５に係る特許は、特許法第２９条の規定に違反してされたものではなく、同法第１１３条第２号の規定に該当しないから、特許異議の申立ての理由及び証拠によっては、本件発明１〜５に係る特許を取り消すことができない。
　また、他に本件発明１〜５に係る特許を取り消すべき理由を発見しない。
　よって、結論のとおり決定する。
【異議決定日】
平成１６年６月２５日（２００４．６．２５）